(57)【特許請求の範囲】
【請求項１】
移動局から送信された無線信号の受信状態に基づき、当該移動局との間の無線信号を増幅する前記移動局に関する情報を基地局から取得し、増幅を行う前記移動局の数、もしくは増幅を行う前記移動局の、全移動局に占める割合を算出する算出部と、
該算出部の算出結果に基づいて複数の帯域のうちの１以上の帯域を増幅の対象に割り当てる割り当て部と、
該割り当て部により増幅の対象に割り当てられた帯域を増幅する増幅部と、
を備え、前記算出部が基地局に含まれており、かつ前記割り当て部および前記増幅部が中継局に含まれているか、または、前記算出部および前記割り当て部が基地局に含まれており、かつ前記増幅部が中継局に含まれていることを特徴とする無線通信システム。
【請求項２】
前記割り当て部は、前記複数の帯域のうちの１以上の帯域をランダムに選択して増幅の対象に割り当てることを特徴とする請求項１に記載の無線通信システム。
【請求項３】
前記基地局は、増幅の対象の移動局に関する第１の情報を前記中継局へ通知し、前記中継局は、自局が増幅を行う対象の移動局に関する第２の情報を有し、前記中継局は、前記第１の情報と前記第２の情報との両方に含まれる移動局の数に対応する数の帯域を増幅することを特徴とする請求項１に記載の無線通信システム。
【請求項４】
前記割り当て部は、各帯域の干渉電力に基づいて１以上の帯域を増幅の対象に割り当てることを特徴とする請求項１に記載の無線通信システム。
【請求項５】
前記割り当て部は、各帯域の干渉電力に基づいて各帯域の増幅率を決定することを特徴とする請求項４に記載の無線通信システム。
【請求項６】
前記割り当て部は、増幅の対象の移動局が使用している周波数帯域を増幅の対象に割り当てることを特徴とする請求項１に記載の無線通信システム。
【請求項７】
移動局から送信された無線信号の受信状態に基づき、増幅を行う前記移動局の数、もしくは増幅を行う前記移動局の、全移動局に占める割合を算出する算出部と、
該算出部の算出結果に基づいて複数の帯域のうちの１以上の帯域を増幅の対象に割り当てる割り当て部と、
を備えることを特徴とする基地局。
【請求項８】
移動局から送信された無線信号の受信状態に基づき、当該移動局との間の無線信号を増幅する前記移動局に関する情報を基地局から取得し、増幅を行う前記移動局の数、もしくは増幅を行う前記移動局の、全移動局に占める割合に基づいて複数の帯域のうちの１以上の帯域を増幅の対象に割り当てる割り当て部と、
該割り当て部により増幅の対象に割り当てられた帯域を増幅する増幅部と、
を備えることを特徴とする中継局。
【請求項９】
移動局から送信された無線信号の受信状態に基づき、当該移動局との間の無線信号を増幅する前記移動局に関する情報を基地局から取得し、増幅を行う前記移動局の数、もしくは増幅を行う前記移動局の、全移動局に占める割合を算出する算出ステップと、
該基地局または中継局にて、該算出ステップでの算出結果に基づいて複数の帯域のうちの１以上の帯域を増幅の対象に割り当てる割り当てステップと、
該中継局にて、該割り当てステップで増幅の対象に割り当てられた帯域を増幅する増幅ステップと、
を含むことを特徴とする無線通信方法。
【発明の詳細な説明】
【技術分野】
【０００１】
この発明は、無線通信システム、基地局、中継局および無線通信方法に関する。
【背景技術】
【０００２】
従来、無線通信システムにおいて、中継局が用いられることがある。中継局として、受信した信号を増幅して送信する非再生処理タイプのものと、受信した信号を復号して一旦元のデータを再生してから増幅して送信する再生処理タイプのものがある。ところで、移動通信システムにおいて、マルチホップによる高速通信を実現できる通信経路を決定することが可能なシステムが知られている。例えば、移動通信システムは、送受信局間の通信経路を構成する中継局と基地局とが受信するそれぞれの信号の干渉レベルに基づいて、最も通信速度が大きい通信経路または要求された回線品質を満たす通信経路を決定する通信経路決定部を備える（例えば、特許文献１参照。）。
【先行技術文献】
【特許文献】
【０００３】
【特許文献１】国際公開第２００３／１０１１３２号パンフレット
【発明の概要】
【発明が解決しようとする課題】
【０００４】
従来の再生処理タイプの中継局では、ユーザ単位で増幅の対象を制御することができるので、干渉源となるのを抑制することができる。しかしながら、復号処理に時間がかかるため、再生処理タイプの中継局では、非再生処理タイプの中継局よりも大きな遅延が生じるという問題点がある。一方、従来の非再生処理タイプの中継局では、常に全ての帯域を一定の増幅率で増幅するため、干渉源になることがあるという問題点がある。
【０００５】
開示の無線通信システムおよび無線通信方法は、中継局が干渉源となるのを抑制することができるシステムおよび方法を提供することを目的とする。また、開示の基地局および中継局は、中継局が干渉源となるのを抑制することができるシステムを実現することができる基地局および中継局を提供することを目的とする。
【課題を解決するための手段】
【０００６】
無線通信システムは、基地局および中継局を含む。また、無線通信システムは、算出部、割り当て部および増幅部を備えている。算出部は、移動局から送信された無線信号の受信状態に基づき、移動局との間の無線信号を増幅する移動局に関する情報を基地局から取得し、増幅を行う移動局の数、もしくは増幅を行う移動局の、全移動局に占める割合を算出する。割り当て部は、算出部の算出結果に基づいて複数の帯域のうちの１以上の帯域を増幅の対象に割り当てる。増幅部は、割り当て部により増幅の対象に割り当てられた帯域を増幅する。算出部は、基地局に含まれている。増幅部は、中継局に含まれている。割り当て部は、基地局に含まれていてもよいし、中継局に含まれていてもよい。
【発明の効果】
【０００７】
開示の無線通信システム、基地局、中継局および無線通信方法によれば、中継局が干渉源となるのを抑制することができるという効果を奏する。
【図面の簡単な説明】
【０００８】
【図１】図１は、実施例１にかかる無線通信システムの構成を示すブロック図である。
【図２】図２は、実施例１にかかる無線通信方法を示すフローチャートである。
【図３】図３は、実施例１にかかる無線通信システムの一例を示すブロック図（その１）である。
【図４】図４は、実施例１にかかる無線通信システムの一例を示すブロック図（その２）である。
【図５】図５は、実施例２にかかる基地局の構成を示すブロック図である。
【図６】図６は、実施例２にかかる中継局の構成を示すブロック図である。
【図７】図７は、テーブルの一例を示す図表である。
【図８】図８は、実施例２にかかる無線通信方法において、上述したダイナミックに割り当てる場合のフローチャートである。
【図９】図９は、実施例２にかかる無線通信方法において、上述したランダムに割り当てる場合のフローチャートである。
【図１０】図１０は、実施例３にかかる基地局の構成を示すブロック図である。
【図１１】図１１は、実施例３にかかる中継局の構成を示すブロック図である。
【図１２】図１２は、実施例３にかかる無線通信方法を示すフローチャートである。
【図１３】図１３は、実施例４にかかる基地局の構成を示すブロック図である。
【図１４】図１４は、実施例４にかかる中継局の構成を示すブロック図である。
【図１５】図１５は、実施例４にかかる無線通信方法を示すフローチャートである。
【図１６】図１６は、実施例５にかかる基地局の構成を示すブロック図である。
【図１７】図１７は、実施例５にかかる無線通信方法を示すフローチャートである。
【図１８】図１８は、実施例６にかかる基地局の構成を示すブロック図である。
【図１９】図１９は、実施例６にかかる無線通信方法を示すフローチャートである。
【図２０】図２０は、実施例７にかかる基地局の構成を示すブロック図である。
【図２１】図２１は、実施例７にかかる無線通信方法を示すフローチャートである。
【発明を実施するための形態】
【０００９】
以下に、この発明にかかる無線通信システム、基地局、中継局および無線通信方法の実施例を図面に基づいて詳細に説明する。以下の各実施例の説明において、同様の構成には同一の符号を付して重複する説明を省略する。なお、以下の実施例によりこの発明が限定されるものではない。
【００１０】
（実施例１）
実施例１では、基地局は、中継局で増幅を行う必要のある移動局の数、もしくは増幅を行う必要のある移動局の、セル内の全移動局に占める割合を算出する。以下、「中継局で増幅を行う必要のある移動局の数、もしくは増幅を行う必要のある移動局の、セル内の全移動局に占める割合」のことを、「増幅の必要な移動局の数または割合」と略す。中継局は、増幅の必要な移動局の数または割合に基づいて、複数の帯域のうちの１以上の帯域を増幅する。
【００１１】
図１は、実施例１にかかる無線通信システムの構成を示すブロック図である。図１に示すように、無線通信システムは、基地局１および中継局２を備えている。基地局１は、算出部３を備えている。算出部３は、増幅の必要な移動局６の数または割合を算出する。中継局２は、例えば割り当て部４と、増幅部５とを備えている。割り当て部４は、算出部３の算出結果に基づいて複数の帯域のうちの１以上の帯域を増幅の対象に割り当てる。増幅部５は、割り当て部４により増幅の対象に割り当てられた帯域を増幅する。割り当て部４は、基地局１に含まれていてもよい。なお、中継局２および移動局６の数は、それぞれ複数であってもよい。
【００１２】
図２は、実施例１にかかる無線通信方法を示すフローチャートである。図２に示すように、基地局と移動局との間の無線通信処理において増幅を行うか否かを判定する処理が開始されると、まず、基地局は、増幅の必要な移動局の数または割合を算出する（ステップＳ１）。次いで、中継局は、ステップＳ１での算出結果に基づいて複数の帯域のうちの１以上の帯域を増幅の対象に割り当てる（ステップＳ２）。次いで、中継局は、ステップＳ２で増幅の対象に割り当てられた帯域を増幅する（ステップＳ３）。割り当て部が基地局に含まれている場合、ステップＳ２は、基地局で行われる。
【００１３】
図３および図４は、実施例１にかかる無線通信システムの一例を示すブロック図である。図３に示すように、無線通信システムは、基地局１および１以上の中継局（図示例では、例えばＡ２ａとＢ２ｂの二つ）を備えている。また、無線通信システムには、１以上の移動局（図示例では、例えばＡ６ａとＢ６ｂとＣ６ｃの三つ）が存在する。例えば、移動局から基地局へ無線信号を送信する上り方向の場合、基地局１は、例えば各移動局６ａ，６ｂ，６ｃから送信された無線信号の受信状態に基づいて、各移動局６ａ，６ｂ，６ｃとの間の無線信号を増幅する必要があるか否かを判定する。図３では、基地局１と各移動局６ａ，６ｂ，６ｃとの間の、無線通信のリンクを表す矢印が太いほど、基地局１における無線信号の受信状態がよいことを表している。
【００１４】
例えば、移動局Ａ６ａおよび移動局Ｃ６ｃからそれぞれ送信された無線信号の受信状態がよい場合、基地局１は、移動局Ａ６ａとの間および移動局Ｃ６ｃとの間の各無線信号を増幅する必要がないと判定する。例えば、移動局Ｂ６ｂから送信された無線信号の受信状態が悪い場合、基地局１は、移動局Ｂ６ｂとの間の無線信号を増幅する必要があると判定する。従って、図示例では、例えば増幅の必要な移動局の数は１であり、増幅の必要な移動局の割合は１／３である。
【００１５】
図４に示すように、基地局１は、各中継局２ａ，２ｂに増幅の必要な移動局の数、または増幅の必要な移動局の割合を通知する。各中継局２ａ，２ｂは、増幅の必要な移動局の数、または増幅の必要な移動局の割合に基づいて、複数の帯域のうちの１以上の帯域を増幅の対象に割り当てる。あるいは、基地局１が、増幅の必要な移動局の数、または増幅の必要な移動局の割合に基づいて、複数の帯域のうちの１以上の帯域を増幅の対象に割り当て、その割り当てに関する情報を各中継局２ａ，２ｂに通知するようにしてもよい。各中継局２ａ，２ｂは、増幅の対象に割り当てられた帯域を増幅する。なお、中継局の数は１または３以上でもよい。移動局の数は１、２または４以上でもよい。
【００１６】
実施例１によれば、中継局は、増幅の必要な移動局の数または割合に基づいて、複数の帯域のうちの１以上の帯域を増幅するので、増幅の必要な移動局の数または割合に対して必要かつ十分な帯域を増幅することができる。つまり、中継局は、必要以上に多くの帯域を増幅しないようにすることができる。従って、常に全ての帯域を一定の増幅率で増幅する場合に比べて、中継局が干渉源となるのを抑制することができる。
【００１７】
（実施例２）
実施例２では、無線通信システムの全運用帯域は、例えば複数のサブ帯域に分割される。Ｌｏｎｇ  Ｔｅｒｍ  Ｅｖｏｌｕｔｉｏｎ（ＬＴＥ、ロングタームエボリューション）のシステムでは、運用帯域は例えば２０ＭＨｚである。ＬＴＥを発展させたＬＴＥ−Ａｄｖａｎｃｅｄ（ＬＴＥアドバンスト）のシステムでは、例えば１００ＭＨｚ程度の運用帯域が検討されている。そして、ＬＴＥシステムとＬＴＥ−Ａｄｖａｎｃｅｄのシステムとの互換性を保つため、例えばＬＴＥシステムの運用帯域を５個分まとめてＬＴＥ−Ａｄｖａｎｃｅｄシステムの運用帯域とすることが検討されている。換言すれば、ＬＴＥ−Ａｄｖａｎｃｅｄシステムでは、例えば１００ＭＨｚ程度の運用帯域が２０ＭＨｚの５個のサブ帯域に分割される。実施例２は、例えばこのようなＬＴＥ−Ａｄｖａｎｃｅｄシステムに適用することができる。ここでは、実施例２として、ＬＴＥ−Ａｄｖａｎｃｅｄシステムに適用した場合を例にして説明する。
【００１８】
基地局は、増幅の必要な移動局の数または割合を算出する。中継局は、基地局により算出された増幅の必要な移動局の数または割合に基づいて、複数のサブ帯域のうちの１以上のサブ帯域を増幅の対象に割り当てる。中継局は、増幅の対象に割り当てたサブ帯域の入力信号を増幅する。
【００１９】
図５は、実施例２にかかる基地局の構成を示すブロック図である。図５に示すように、基地局１１は、測定部１２、テーブル１３、判定部１４および算出部１５を備えている。基地局１１は、図示しない移動局から送られてきた無線信号を、アンテナ１６および切り替え部１７を介して受信する。測定部１２は、セル内の移動局の受信品質を測定する。受信品質の一例として、例えばＳＩＲ（Ｓｉｇｎａｌ  ｔｏ  Ｉｎｔｅｒｆｅｒｅｎｃｅ  Ｐｏｗｅｒ  Ｒａｔｉｏ）が挙げられる。テーブル１３には、移動局の受信品質を判定する際に用いられる閾値が格納されている。
【００２０】
判定部１４は、移動局の受信品質と閾値とを比較する。判定部１４は、例えば移動局の受信品質が閾値と同じか閾値を超える移動局について増幅が不要であると判定する。判定部１４は、例えば移動局の受信品質が閾値を超えない移動局について増幅が必要であると判定する。算出部１５は、判定部１４の判定結果に基づいて、増幅の必要な移動局の数または割合を算出する。基地局１１は、算出部１５で算出した増幅の必要な移動局の数または割合を、切り替え部１７およびアンテナ１６を介して報知（ブロードキャスト）する。アンテナ１６、切り替え部１７、測定部１２、テーブル１３、判定部１４および算出部１５は、例えば実施例１における算出部３として動作する。
【００２１】
図６は、実施例２にかかる中継局の構成を示すブロック図である。図７は、テーブルの一例を示す図表である。図６に示すように、中継局２１は、例えば非再生処理タイプの中継局である。中継局２１は、第１受信部２２、テーブル２３、算出部２４、第２受信部２５、割り当て部２６、通知部２７および増幅部２８を備えている。中継局２１は、図示しない基地局または移動局から送られてきた無線信号を、アンテナ２９を介して受信する。第１受信部２２は、基地局から報知された増幅の必要な移動局の数または割合を受信して保存する。
【００２２】
テーブル２３には、増幅の必要な移動局の数または割合と増幅するサブ帯域の数との対応関係が格納されている（図７参照）。増幅の必要な移動局の数または割合と増幅するサブ帯域の数との対応関係は、例えば計算機を用いたシミュレーションなどにより予め求められていてもよい。図７において、Ｎ０、Ｎ１、Ｎ２およびＮ３は増幅の必要な移動局の数または割合であり、その大小関係は例えばＮ０＜Ｎ１＜Ｎ２＜Ｎ３である。また、ａ、ｂおよびｃは増幅するサブ帯域の数であり、その大小関係は例えばａ＜ｂ＜ｃである。
【００２３】
算出部２４は、第１受信部２２で受信した増幅の必要な移動局の数または割合とテーブル２３の対応関係とに基づいて、増幅するサブ帯域の数を算出する。第２受信部２５は、図示しない他の中継局から通知された情報を受信して保存する。他の中継局から通知される情報には、例えば当該他の中継局が増幅しているサブ帯域の情報が含まれている。割り当て部２６は、算出部２４により算出された、増幅するサブ帯域の数に基づいて、複数のサブ帯域のうち、算出部２４により算出された数分のサブ帯域を増幅の対象に割り当てる。サブ帯域の割り当て方法として、例えばダイナミックに割り当てる方法と、ランダムに割り当てる方法が挙げられる。
【００２４】
ダイナミックに割り当てる方法は、例えば第２受信部２５から通知される、他の中継局で増幅中のサブ帯域の情報に基づいて、未使用のサブ帯域を増幅の対象に割り当てる方法である。ダイナミックに割り当てる方法によれば、注目している基地局のセル内の中継局と、注目している基地局のセルに隣接するセル内の中継局とが、同じサブ帯域を増幅するのを防ぐことができるので、干渉が起こるのを避けることができる。ランダムに割り当てる方法は、他の中継局で増幅中のサブ帯域の情報を参照しないで、任意のサブ帯域を増幅の対象に割り当てる方法である。ランダムに割り当てる方法によれば、中継局同士で増幅中のサブ帯域の情報を共有する必要がないので、中継局での処理が簡便になる。
【００２５】
中継局２１は、運用中に、例えば予め設定された条件を満たすか否かによって前記二つの割り当て方法を切り替えるようにしてもよいし、中継局２１の設置場所の環境などに応じていずれか一方の割り当て方法に固定されていてもよい。中継局２１がランダムに割り当てる方法に固定される場合には、第２受信部２５および後述する通知部２７は、動作しない。従って、中継局２１がランダムに割り当てる方法に固定される場合、第２受信部２５と通知部２７が設けられていなくてもよい。
【００２６】
通知部２７は、割り当て部２６により増幅の対象に割り当てられたサブ帯域の情報、すなわち自局が増幅を行うサブ帯域の情報を、アンテナ３０を介して他の中継局へ通知する。増幅部２８は、割り当て部２６により増幅の対象に割り当てられたサブ帯域のアナログの入力信号を増幅する。増幅された信号は、アンテナ３０を介して送信される。アンテナ２９、第１受信部２２、テーブル２３、算出部２４、第２受信部２５および割り当て部２６は、例えば実施例１における割り当て部４として動作する。増幅部２８は、例えば実施例１における増幅部５として動作する。
【００２７】
図８は、実施例２にかかる無線通信方法において、上述したダイナミックに割り当てる場合のフローチャートである。図８に示すように、基地局と移動局との間の無線通信処理において増幅を行うか否かを判定する処理が開始されると、まず、中継局が増幅を行わない状態において、基地局は、自局と移動局との間の移動局のＳＩＲなどの受信品質を測定する（ステップＳ１１）。次いで、基地局は、移動局の受信品質と予め設定された閾値とを比較し、例えば移動局の受信品質が閾値を超えない移動局について増幅が必要であると判定する。そして、基地局は、増幅の必要性の判定結果に基づいて、増幅の必要な移動局の数または割合を算出し、増幅の必要な移動局の数または割合を報知する（ステップＳ１２）。
【００２８】
中継局は、基地局から報知された増幅の必要な移動局の数または割合を受信し、増幅の必要な移動局の数または割合と、増幅の必要な移動局の数または割合と増幅するサブ帯域の数との対応関係とに基づいて、増幅するサブ帯域の数を決定する（ステップＳ１３）。また、中継局は、他の中継局から通知された、当該他の中継局が増幅しているサブ帯域の情報を受信する（ステップＳ１４）。次いで、中継局は、ステップＳ１３で決定した、増幅するサブ帯域の数と、ステップＳ１４で受信した、他の中継局が増幅しているサブ帯域の情報とに基づいて、複数のサブ帯域のうち、ステップＳ１３で決定した数分のサブ帯域を増幅の対象に割り当てる。すなわち、中継局は、増幅するサブ帯域をダイナミックに割り当てる（ステップＳ１５）。次いで、中継局は、ステップＳ１５で割り当てた、増幅するサブ帯域の情報を他の中継局へ通知する（ステップＳ１６）。また、中継局は、ステップＳ１５で増幅の対象に割り当てたサブ帯域のアナログの入力信号を増幅する。この一連の処理において、ステップＳ１４の実施タイミングは、ステップＳ１３の後でもよいし、ステップＳ１３の前でもよい。
【００２９】
図９は、実施例２にかかる無線通信方法において、上述したランダムに割り当てる場合のフローチャートである。図９に示すように、処理が開始されると、上述したダイナミックに割り当てる場合におけるステップＳ１１〜ステップＳ１３と同様に、基地局は、移動局の受信品質を測定し（ステップＳ２１）、増幅の必要な移動局の数または割合を報知する（ステップＳ２２）。そして、中継局は、増幅するサブ帯域の数を決定する（ステップＳ２３）。次いで、ステップＳ２３で決定した、増幅するサブ帯域の数に基づいて、複数のサブ帯域のうち、ステップＳ２３で決定した数分のサブ帯域をランダムに増幅の対象に割り当てる（ステップＳ２４）。次いで、中継局は、ステップＳ２４で増幅の対象に割り当てたサブ帯域のアナログの入力信号を増幅する。
【００３０】
実施例２によれば、実施例１と同様の効果が得られる。また、基地局に設けられているスケジューラが、受信品質の悪い移動局の無線リソースを、中継局での増幅により受信品質が改善されたサブ帯域に割り振ることによって、受信品質の悪い移動局の受信品質を改善させることができる。なお、再生処理タイプの中継局を用いてもよい。
【００３１】
（実施例３）
実施例３では、実施例２と同様に、無線通信システムの全運用帯域が例えば複数のサブ帯域に分割される。実施例３として、ＬＴＥ−Ａｄｖａｎｃｅｄシステムに適用した場合を例にして説明する。基地局は、増幅の必要な移動局の数または割合を算出し、その算出結果に基づいて複数のサブ帯域のうちの１以上のサブ帯域を増幅の対象に割り当てる。中継局は、基地局により増幅の対象に割り当てられたサブ帯域の入力信号を増幅する。
【００３２】
図１０は、実施例３にかかる基地局の構成を示すブロック図である。図１０に示すように、基地局３１は、測定部１２、第１テーブル３２、判定部１４、第１算出部３３、第２テーブル３４、第２算出部３５、送受信部３６および割り当て部３７を備えている。第１テーブル３２および第１算出部３３は、それぞれ実施例２の基地局１１におけるテーブル１３および算出部１５と同じである。第２テーブル３４は、実施例２の中継局２１におけるテーブル２３と同じである。第２算出部３５は、第１算出部３３により算出された増幅の必要な移動局の数または割合と、第２テーブル３４の対応関係とに基づいて、増幅するサブ帯域の数を算出する。
【００３３】
送受信部３６は、自局が自局のセル内の中継局に対して増幅を実施させているサブ帯域の情報を他の基地局へ送信する。また、送受信部３６は、他の基地局から、該他の基地局が該他の基地局のセル内の中継局に対して増幅を実施させているサブ帯域の情報を受信して保存する。基地局同士は、制御情報をやりとりする回線を介して情報の送受信を行う。制御情報をやりとりする回線の一例として、例えばＸ２  Ｃｏｎｔｒｏｌ  Ｐｌａｎｅ  Ｉｎｔｅｒｆａｃｅ（Ｘ２コントロールプレインインタフェース）が挙げられる。
【００３４】
割り当て部３７は、複数のサブ帯域のうち、第２算出部３５により算出された数分のサブ帯域をランダムに増幅の対象に割り当てる。また、割り当て部３７は、送受信部３６から通知される、他の中継局で増幅中のサブ帯域の情報に基づいて、複数のサブ帯域のうち、第２算出部３５により算出された数分のサブ帯域をダイナミックに増幅の対象に割り当てる。ダイナミックに割り当てる場合、割り当て部３７は、複数のサブ帯域のうち、中継局により増幅されていないサブ帯域（空いているサブ帯域）を所定の順、例えば周波数の低い順やサブ帯域の番号順に増幅の対象に割り当てるようにしてもよい。
【００３５】
基地局３１は、割り当て部３７で増幅の対象に割り当てたサブ帯域の情報を、切り替え部１７およびアンテナ１６を介して報知する。基地局３１のその他の構成は、実施例２と同様である。アンテナ１６、切り替え部１７、測定部１２、第１テーブル３２、判定部１４および第１算出部３３は、例えば実施例１における算出部３として動作する。第２テーブル３４、第２算出部３５、送受信部３６および割り当て部３７は、例えば実施例１における割り当て部４として動作する。
【００３６】
図１１は、実施例３にかかる中継局の構成を示すブロック図である。図１１に示すように、中継局４１は、例えば非再生処理タイプの中継局である。中継局４１は、受信部４２、通知部４３および増幅部２８を備えている。受信部４２は、基地局から報知された、増幅の対象に割り当てられたサブ帯域の情報を受信して保存する。通知部４３は、受信部４２から通知された、増幅の対象に割り当てられたサブ帯域の情報に基づいて、増幅の対象に割り当てられたサブ帯域を増幅部２８へ通知する。増幅部２８は、通知部４３から通知された、増幅の対象に割り当てられたサブ帯域のアナログの入力信号を増幅する。中継局４１のその他の構成は、実施例２と同様である。アンテナ２９、受信部４２、通知部４３および増幅部２８は、例えば実施例１における増幅部５として動作する。
【００３７】
図１２は、実施例３にかかる無線通信方法を示すフローチャートである。図１２に示すように、基地局と移動局との間の無線通信処理において増幅を行うか否かを判定する処理が開始されると、まず、実施例２におけるステップＳ１１〜ステップＳ１２と同様に、基地局は、移動局の受信品質を測定し（ステップＳ３１）、増幅の必要な移動局の数または割合を算出する（ステップＳ３２）。ただし、ステップＳ３２では、基地局は、増幅の必要な移動局の数または割合を報知しない。次いで、基地局は、増幅の必要な移動局の数または割合と、増幅の必要な移動局の数または割合と増幅するサブ帯域の数との対応関係とに基づいて、増幅するサブ帯域の数を決定する（ステップＳ３３）。また、基地局は、他の基地局のエリア内にある中継局が増幅しているサブ帯域を抽出する（ステップＳ３４）。
【００３８】
次いで、基地局は、ステップＳ３４で抽出した増幅中のサブ帯域の情報に基づいて、増幅可能なサブ帯域、すなわち他の中継局により増幅されていないサブ帯域（空いているサブ帯域）があるか否かを判断する（ステップＳ３５）。増幅可能なサブ帯域がある場合（ステップＳ３５：Ｙｅｓ）、基地局は、その増幅可能なサブ帯域を増幅の対象に割り当てる（ステップＳ３６）。その際、基地局は、例えば周波数の低い順などのように所定の順に空いているサブ帯域を増幅の対象に割り当ててもよい。増幅可能なサブ帯域がない場合（ステップＳ３５：Ｎｏ）、基地局は、ランダムにサブ帯域を増幅の対象に割り当てる（ステップＳ３７）。サブ帯域をランダムに増幅の対象に割り当てることによって、互いに影響し合う範囲にある別々の中継局で同じサブ帯域を増幅の対象に割り当てる確率が低くなるので、干渉が起こるのを抑制することができる。
【００３９】
サブ帯域の割り当てが終了すると、基地局は、増幅の対象に割り当てたサブ帯域の情報を、他の基地局へ通知する（ステップＳ３８）。また、基地局は、増幅の対象に割り当てたサブ帯域の情報を報知する（ステップＳ３９）。中継局は、基地局から報知された、増幅の対象に割り当てられたサブ帯域の情報を受信し、増幅の対象に割り当てられたサブ帯域のアナログの入力信号を増幅する（ステップＳ４０）。この一連の処理において、ステップＳ３４の実施タイミングは、ステップＳ３３の後でもよいし、ステップＳ３３の前、ステップＳ３２の前またはステップＳ３１の前でもよい。また、ステップＳ３８の実施タイミングは、ステップＳ３９の前でもよいし、ステップＳ３９の後またはステップＳ４０の後でもよい。
【００４０】
実施例３によれば、実施例１と同様の効果が得られる。また、実施例２と同様に、受信品質の悪い移動局の受信品質を改善させることができる。なお、再生処理タイプの中継局を用いてもよい。また、基地局がサブ帯域をランダムに割り当てる方法に固定されていてもよい。基地局３１がランダムに割り当てる方法に固定される場合、基地局間の通信を行う送受信部３６が設けられていなくてもよい。基地局３１がランダムに割り当てる方法に固定される場合、図１２のフローチャートにおいて、ステップＳ３４〜ステップＳ３６およびステップＳ３８の各処理がなくてもよい。
【００４１】
（実施例４）
実施例４は、実施例３において、中継局は、自局が増幅を行う対象の移動局に関する情報を有する。中継局は、自局が増幅を行う対象の移動局に関する情報と、基地局で選択された増幅の対象の移動局に関する情報との両方に含まれる移動局の数に対応する数のサブ帯域を増幅の対象に割り当てる。
【００４２】
図１３は、実施例４にかかる基地局の構成を示すブロック図である。図１３に示すように、基地局５１は、測定部１２、第１テーブル３２、判定部１４、第１算出部３３、第２テーブル３４、第２算出部３５および割り当て部３７を備えている。第１算出部３３は、増幅の必要な移動局の数または割合を第２算出部３５へ通知するとともに、判定部１４により増幅が必要であると判定された移動局に関する情報を、切り替え部１７およびアンテナ１６を介して報知する。割り当て部３７は、複数のサブ帯域のうち、第２算出部３５により算出された数分のサブ帯域をランダムに増幅の対象に割り当て、増幅の対象に割り当てたサブ帯域の情報を、切り替え部１７およびアンテナ１６を介して報知する。基地局５１のその他の構成は、実施例３と同様である。
【００４３】
図１４は、実施例４にかかる中継局の構成を示すブロック図である。図１４に示すように、中継局６１は、例えば非再生処理タイプの中継局である。中継局６１は、測定部６２、テーブル６３、第１判定部６４、生成部６５、第１受信部６６、第２受信部６７、第２判定部６８および増幅部２８を備えている。測定部６２は、自局と移動局との間の移動局のＳＩＲなどの受信品質を測定する。テーブル６３には、移動局の受信品質を判定する際に用いられる閾値が格納されている。移動局の受信品質と判定用の閾値との関係は、例えば計算機を用いたシミュレーションなどにより予め求められていてもよい。
【００４４】
第１判定部６４は、移動局の受信品質と閾値とを比較する。一般に、自局に近いほど移動局の受信品質はよくなる。第１判定部６４は、例えば移動局の受信品質が閾値を超える移動局は自局の近くにいると判定する。自局の近くにいると判定された移動局は、自局が増幅を行う移動局の候補である。第１判定部６４は、例えば移動局の受信品質が閾値と同じか閾値を超えない移動局は自局の近くにいないと判定する。自局の近くにいないと判定された移動局は、自局が増幅を行う移動局の候補ではない。生成部６５は、第１判定部６４の判定結果に基づいて、自局が増幅を行う移動局の候補のリストを生成する。
【００４５】
第１受信部６６は、実施例３の受信部４２と同じである。第２受信部６７は、基地局から報知された、基地局により増幅が必要であると判定された移動局に関する情報を受信して保存する。第２判定部６８は、自局が増幅を行う移動局の候補のリストと、基地局により増幅が必要であると判定された移動局に関する情報とに基づいて、自局で増幅動作を行うか否かを判定する。第２判定部６８は、自局で増幅動作を行う場合、基地局により増幅の対象に割り当てられたサブ帯域の情報に基づいて、自局で実際に増幅を行うサブ帯域を決定する。
【００４６】
例えば、第２判定部６８は、基地局により増幅が必要であると判定された全ての移動局が、自局が増幅を行う移動局の候補のリストに含まれている場合、基地局により増幅の対象に割り当てられた全てのサブ帯域を、自局で実際に増幅を行うサブ帯域とする。第２判定部６８は、基地局により増幅が必要であると判定された移動局のうちの一部が、自局が増幅を行う移動局の候補のリストに含まれている場合、基地局により増幅が必要であると判定された移動局のうちの、自局が増幅を行う移動局の候補のリストに含まれている数に対応する数のサブ帯域を、自局で実際に増幅を行うサブ帯域とする。つまり、中継局６１は、基地局により増幅が必要であると判定された移動局のうち、自局が増幅を行う移動局の候補のリストに含まれていない分については、増幅を行わなくてもよい。従って、第２判定部６８は、自局で実際に増幅を行うサブ帯域を決定する際、基地局により増幅の対象に割り当てられた全てのサブ帯域から、自局で増幅を行わない移動局の数に対応する数のサブ帯域を例えばランダムに間引いてもよい。自局で増幅を行わない移動局の数と間引きされるサブ帯域の数との対応関係は、例えば計算機を用いたシミュレーションなどにより予め求められていてもよい。
【００４７】
第２判定部６８は、基地局により増幅が必要であると判定された全ての移動局が、自局が増幅を行う移動局の候補のリストに含まれていない場合、基地局により増幅の対象に割り当てられた全てのサブ帯域を、自局で実際に増幅を行うサブ帯域としない。つまり、中継局６１は、基地局により増幅が必要であると判定された全ての移動局が、自局が増幅を行う移動局の候補のリストに含まれていない場合、増幅を行わなくてもよい。第２判定部６８は、増幅の対象に割り当てたサブ帯域を増幅部２８へ通知する。増幅部２８は、第２判定部６８から通知された、増幅の対象に割り当てられたサブ帯域のアナログの入力信号を増幅する。中継局６１のその他の構成は、実施例３と同様である。アンテナ２９、測定部６２、テーブル６３、第１判定部６４、生成部６５、第１受信部６６、第２受信部６７、第２判定部６８および増幅部２８は、例えば実施例１における増幅部５として動作する。
【００４８】
図１５は、実施例４にかかる無線通信方法を示すフローチャートである。図１５に示すように、処理が開始されると、まず、実施例３におけるステップＳ３１〜ステップＳ３３と同様に、基地局は、移動局の受信品質を測定し（ステップＳ４１）、増幅の必要な移動局の数または割合を算出し（ステップＳ４２）、増幅するサブ帯域の数を決定する（ステップＳ４３）。次いで、基地局は、増幅するサブ帯域の数と、増幅が必要であると判定した移動局に関する情報とを報知する（ステップＳ４４）。
【００４９】
一方、中継局は、自局と移動局との間の移動局のＳＩＲなどの受信品質を測定する。中継局は、移動局の受信品質と予め設定された閾値とを比較し、例えば移動局の受信品質が閾値を超える移動局については、自局の近くにいる移動局であると判定する。そして、中継局は、自局の近くにいると判定された移動局のリストを生成する（ステップＳ４５）。次いで、中継局は、基地局から報知された、増幅が必要であると判定された全ての移動局が、自局が増幅を行う移動局の候補のリストに含まれているか否かを判定する（ステップＳ４６）。基地局により増幅が必要であると判定された全ての移動局が、自局が増幅を行う移動局の候補のリストに含まれている場合（ステップＳ４６：Ｙｅｓ）、中継局は、基地局により増幅の対象に割り当てられた全てのサブ帯域を増幅する（ステップＳ４７）。
【００５０】
基地局により増幅が必要であると判定された移動局のうちの一部が、自局が増幅を行う移動局の候補のリストに含まれている場合（ステップＳ４６：Ｎｏ、ステップＳ４８：Ｙｅｓ）、中継局は、基地局により増幅が必要であると判定された移動局のうちの、自局が増幅を行う移動局の候補のリストに含まれている数に対応する数のサブ帯域を増幅する（ステップＳ４９）。中継局は、基地局により増幅が必要であると判定された全ての移動局が、自局が増幅を行う移動局の候補のリストに含まれていない場合（ステップＳ４８：Ｎｏ）、基地局により増幅の対象に割り当てられた全てのサブ帯域について増幅を行わない（ステップＳ５０）。この一連の処理において、ステップＳ４５の実施タイミングは、ステップＳ４４の後でもよいし、ステップＳ４４の前、ステップＳ４３の前、ステップＳ４２の前またはステップＳ４１の前でもよい。
【００５１】
実施例４によれば、実施例１と同様の効果が得られる。また、中継局は、基地局により増幅が必要であると判定された移動局のうち、自局が増幅を行う移動局の候補のリストに含まれている移動局の数に対応する数のサブ帯域を増幅するので、自局が増幅を行う移動局の候補のリストに含まれていない移動局の分のサブ帯域を増幅しないようにすることができる。従って、中継局が干渉源となるのを抑制することができる。また、実施例２と同様に、受信品質の悪い移動局の受信品質を改善させることができる。なお、再生処理タイプの中継局を用いてもよい。
【００５２】
（実施例５）
実施例５は、実施例３において、基地局が各サブ帯域のセル内の干渉電力に基づいて１以上のサブ帯域を増幅の対象に割り当てるようにしたものである。実施例５における基地局の構成は、例えば図１６に示す通りである。実施例５における中継局の構成は、実施例３と同様である。
【００５３】
図１６は、実施例５にかかる基地局の構成を示すブロック図である。図１６に示すように、基地局７１は、第１測定部７２、第１テーブル３２、判定部１４、第１算出部３３、第２テーブル３４、第２算出部３５、送受信部３６、割り当て部３７、第２測定部７３、第３テーブル７４および第３算出部７５を備えている。第１測定部７２は、実施例３の測定部１２と同じである。第２測定部７３は、サブ帯域ごとにセル内の干渉電力を測定する。第３テーブル７４には、サブ帯域のセル内の干渉電力に基づいて増幅を行うか否かを判定する際に用いられる閾値が格納されている。サブ帯域のセル内の干渉電力と判定用の閾値との関係は、例えば計算機を用いたシミュレーションなどにより予め求められていてもよい。
【００５４】
第３算出部７５は、サブ帯域のセル内の干渉電力と、第３テーブル７４の閾値とに基づいて、中継局で増幅することができるサブ帯域を決定する。第３算出部７５は、例えば干渉電力が閾値以下のサブ帯域を、中継局で増幅することができるサブ帯域に決定する。第３算出部７５は、例えば干渉電力が閾値を超えているサブ帯域を、中継局で増幅することができないサブ帯域に決定する。
【００５５】
割り当て部３７は、送受信部３６から通知される、中継局で増幅中のサブ帯域の情報に基づいて、中継局により増幅されていないサブ帯域（空いているサブ帯域）を求める。割り当て部３７は、空いているサブ帯域のうち、第３算出部７５により、中継局で増幅することができると決定されたサブ帯域を抽出する。割り当て部３７は、抽出したサブ帯域の中から、所定の順、例えば干渉電力が小さい順に、第２算出部３５により算出された数分のサブ帯域を増幅の対象に割り当てる。または、割り当て部３７は、抽出したサブ帯域の中から、第２算出部３５により算出された数分の任意のサブ帯域を増幅の対象に割り当てる。割り当て部３７は、第３算出部７５において中継局で増幅することができると決定されたサブ帯域の数よりも、第２算出部３５において算出された増幅するサブ帯域の数の方が多い場合には、第３算出部７５において中継局で増幅することができると決定された全てのサブ帯域を増幅の対象に割り当てる。基地局７１のその他の構成は、実施例３と同様である。アンテナ１６、切り替え部１７、第１測定部７２、第１テーブル３２、判定部１４および第１算出部３３は、例えば実施例１における算出部３として動作する。第２テーブル３４、第２算出部３５、送受信部３６、割り当て部３７、第２測定部７３、第３テーブル７４および第３算出部７５は、例えば実施例１における割り当て部４として動作する。
【００５６】
図１７は、実施例５にかかる無線通信方法を示すフローチャートである。図１７に示すように、基地局においてサブ帯域を増幅の対象に割り当てる処理が開始されると、まず、実施例３におけるステップＳ３１〜ステップＳ３３と同様に、基地局は、移動局の受信品質に基づいて増幅の必要な移動局の数または割合を算出し（ステップＳ５１）、増幅するサブ帯域の数ｋ（ｋは０以上の整数）を算出する（ステップＳ５２）。次いで、基地局は、セル内の干渉電力が閾値以下であるサブ帯域の数ｍ（ｍは０以上の整数）を算出する（ステップＳ５３）。次いで、基地局は、他の基地局のエリア内にある中継局が増幅しているサブ帯域の情報に基づいて、他の中継局により増幅されていないサブ帯域（空いているサブ帯域）を抽出する（ステップＳ５４）。次いで、基地局は、空いているサブ帯域のうち、例えば干渉電力の最も小さい一つのサブ帯域を増幅の対象に割り当てる（ステップＳ５５）。
【００５７】
次いで、基地局は、ｋおよびｍの値をそれぞれ１だけデクリメントする（ステップＳ５６）。基地局は、ｋの値をデクリメントした結果、ｋの値が０になったか否かを判定する（ステップＳ５７）。ｋの値が０である場合（ステップＳ５７：Ｙｅｓ）、増幅するサブ帯域がなくなったので、基地局は、割り当て処理を終了する。ｋの値が０でない場合（ステップＳ５７：Ｎｏ）、基地局は、ｍの値が０になったか否かを判定する（ステップＳ５８）。ｍの値が０である場合（ステップＳ５８：Ｙｅｓ）、セル内の干渉電力が閾値以下であるサブ帯域がなくなったので、基地局は、割り当て処理を終了する。ｍの値が０でない場合（ステップＳ５８：Ｎｏ）、ステップＳ５５に戻り、例えばその時点で干渉電力の最も小さい一つのサブ帯域を増幅の対象に割り当てる（ステップＳ５５）。
【００５８】
そして、増幅するサブ帯域がなくなるか、セル内の干渉電力が閾値以下であるサブ帯域がなくなるまで、ステップＳ５５〜ステップＳ５８を繰り返す。この一連の処理において、ステップＳ５３の実施タイミングは、ステップＳ５２の後でもよいし、ステップＳ５２の前またはステップＳ５１の前でもよい。また、ステップＳ５４の実施タイミングは、ステップＳ５３の後でもよいし、ステップＳ５３の前、ステップＳ５２の前またはステップＳ５１の前でもよい。基地局で増幅の対象となるサブ帯域を割り当てた後における基地局および中継局のそれぞれでの処理は、実施例３と同様である。
【００５９】
実施例５によれば、実施例１と同様の効果が得られる。また、基地局が、セル内の干渉電力が閾値以下であるサブ帯域を増幅の対象に割り当てるので、セル内の干渉電力が閾値を超えるサブ帯域が増幅されるのを防ぐことができる。従って、中継局が干渉源となるのを抑制することができる。また、実施例２と同様に、受信品質の悪い移動局の受信品質を改善させることができる。なお、再生処理タイプの中継局を用いてもよい。
【００６０】
（実施例６）
実施例６は、実施例３において、基地局が各サブ帯域のセル内の干渉電力に基づいて各サブ帯域の増幅率を算出するようにしたものである。実施例６における基地局の構成は、例えば図１８に示す通りである。
【００６１】
図１８は、実施例６にかかる基地局の構成を示すブロック図である。図１８に示すように、基地局８１は、第１測定部８２、第１テーブル３２、判定部１４、第１算出部３３、第２テーブル３４、第２算出部３５、割り当て部３７、第２測定部８３、第３テーブル８４および第３算出部８５を備えている。第１測定部８２は、実施例３の測定部１２と同じである。第２測定部８３は、実施例５の第２測定部７３と同じである。第３テーブル８４には、サブ帯域のセル内の干渉電力に基づいてサブ帯域の増幅率を決定する際に用いられる閾値が格納されている。サブ帯域のセル内の干渉電力と増幅率の閾値との関係は、例えば計算機を用いたシミュレーションなどにより予め求められていてもよい。一般に、セル内の干渉電力が大きくなるにつれて、増幅率が小さくなる。
【００６２】
第３算出部８５は、サブ帯域のセル内の干渉電力と、第３テーブル８４の閾値とに基づいて、各サブ帯域の増幅率を算出する。第３算出部８５は、各サブ帯域の増幅率に基づいて中継局で増幅することができるサブ帯域を決定する。第３算出部８５は、例えば増幅率が閾値以上のサブ帯域を、中継局で増幅することができるサブ帯域に決定する。第３算出部８５は、例えば増幅率が閾値よりも小さいサブ帯域を、中継局で増幅することができないサブ帯域に決定する。第３算出部８５において、中継局で増幅することができるか否かを決定する際の閾値は、例えば計算機を用いたシミュレーションなどにより予め求められていてもよい。第３算出部８５において、中継局で増幅することができるか否かを決定する際の閾値は、例えば０ｄＢであってもよい。
【００６３】
割り当て部３７は、第３算出部８５により、中継局で増幅することができると決定されたサブ帯域の中から、所定の順、例えば増幅率が大きい順、すなわち干渉電力が小さい順に、第２算出部３５により算出された数分のサブ帯域を増幅の対象に割り当てる。または、割り当て部３７は、第３算出部８５により、中継局で増幅することができると決定されたサブ帯域の中から、第２算出部３５により算出された数分の任意のサブ帯域を増幅の対象に割り当てる。割り当て部３７は、第３算出部８５において中継局で増幅することができると決定されたサブ帯域の数よりも、第２算出部３５において算出された増幅するサブ帯域の数の方が多い場合には、第３算出部８５において中継局で増幅することができると決定された全てのサブ帯域を増幅の対象に割り当てる。基地局８１は、割り当て部３７で増幅の対象に割り当てたサブ帯域の情報と該サブ帯域の増幅率を、切り替え部１７およびアンテナ１６を介して報知する。基地局８１のその他の構成は、実施例３と同様である。アンテナ１６、切り替え部１７、第１測定部８２、第１テーブル３２、判定部１４および第１算出部３３は、例えば実施例１における算出部３として動作する。第２テーブル３４、第２算出部３５、割り当て部３７、第２測定部８３、第３テーブル８４および第３算出部８５は、例えば実施例１における割り当て部４として動作する。
【００６４】
実施例６における中継局の構成は、実施例３と同様である。ただし、図１１に示す実施例３の中継局４１において、受信部４２は、基地局から報知された、増幅の対象に割り当てられたサブ帯域の情報と該サブ帯域の増幅率を受信して保存する。通知部４３は、受信部４２から通知された、増幅の対象に割り当てられたサブ帯域の情報と該サブ帯域の増幅率に基づいて、増幅の対象に割り当てられたサブ帯域と該サブ帯域の増幅率を増幅部２８へ通知する。増幅部２８は、通知部４３から通知された、増幅の対象に割り当てられたサブ帯域のアナログの入力信号を、基地局から報知された増幅率で増幅する。
【００６５】
図１９は、実施例６にかかる無線通信方法を示すフローチャートである。図１９に示すように、基地局においてサブ帯域を増幅の対象に割り当てる処理が開始されると、まず、実施例３におけるステップＳ３１〜ステップＳ３３と同様に、基地局は、移動局の受信品質に基づいて増幅の必要な移動局の数または割合を算出し（ステップＳ６１）、増幅するサブ帯域の数ｋ（ｋは０以上の整数）を算出する（ステップＳ６２）。次いで、基地局は、各サブ帯域のセル内の干渉電力に基づいて各サブ帯域の増幅率を求め、増幅率が閾値以上であるサブ帯域の数ｍ（ｍは０以上の整数）を算出する（ステップＳ６３）。次いで、基地局は、例えば増幅率の最も大きい一つのサブ帯域を増幅の対象に割り当てる（ステップＳ６４）。
【００６６】
次いで、実施例５におけるステップＳ５６〜ステップＳ５８と同様に、基地局は、ｋおよびｍの値を１ずつ減らしながら（ステップＳ６５）、ｋの値が０になったか否かを判定し（ステップＳ６６）、またｍの値が０になったか否かを判定する（ステップＳ６７）。ｋの値が０になったら（ステップＳ６６：Ｙｅｓ）、増幅するサブ帯域がなくなったので、基地局は、割り当て処理を終了する。あるいは、ｍの値が０になったら（ステップＳ６７：Ｙｅｓ）、増幅率が閾値以上であるサブ帯域がなくなったので、基地局は、割り当て処理を終了する。この一連の処理において、ステップＳ６３の実施タイミングは、ステップＳ６２の後でもよいし、ステップＳ６２の前またはステップＳ６１の前でもよい。基地局で増幅の対象となるサブ帯域を割り当てた後における基地局および中継局のそれぞれでの処理は、実施例３と同様である。ただし、基地局は、増幅の対象に割り当てたサブ帯域の情報を、他の基地局へ通知しなくてよい。
【００６７】
実施例６によれば、実施例１と同様の効果が得られる。また、基地局が、増幅率が閾値以上であるサブ帯域を増幅の対象に割り当てるので、増幅率が閾値よりも小さいサブ帯域、すなわちセル内の干渉電力が所定値よりも大きいサブ帯域が増幅されるのを防ぐことができる。従って、中継局が干渉源となるのを抑制することができる。また、実施例２と同様に、受信品質の悪い移動局の受信品質を改善させることができる。なお、再生処理タイプの中継局を用いてもよい。
【００６８】
（実施例７）
実施例７は、実施例３において、基地局が、増幅の対象の移動局が使用している周波数帯域を増幅の対象に割り当てるようにしたものである。実施例７における基地局の構成は、例えば図２０に示す通りである。
【００６９】
図２０は、実施例７にかかる基地局の構成を示すブロック図である。図２０に示すように、基地局９１は、測定部１２、テーブル９２、判定部１４、抽出部９３、スケジューラ９４および割り当て部３７を備えている。テーブル９２は、実施例３の第１テーブル３２と同じである。抽出部９３は、判定部１４により、増幅が必要であると判定された移動局の情報を抽出する。スケジューラ９４は、抽出部９３により抽出された移動局の情報に基づいて、該移動局の無線リソースの情報を抽出する。無線リソースの情報には、例えば移動局が使用している周波数帯域の情報が含まれる。また、スケジューラ９４は、移動局に対して無線リソースを割り振る。
【００７０】
割り当て部３７は、スケジューラ９４から通知された、増幅が必要であると判定された移動局の無線リソースの情報に基づいて、該移動局が使用している周波数帯域を増幅の対象に割り当てる。基地局９１は、割り当て部３７で増幅の対象に割り当てた周波数帯域の情報を、切り替え部１７およびアンテナ１６を介して報知する。基地局９１は、増幅の対象に割り当てた周波数帯域の情報とともに、他の無線リソースの情報を報知してもよい。基地局９１のその他の構成は、実施例３と同様である。アンテナ１６、切り替え部１７、測定部１２、テーブル９２、判定部１４および抽出部９３は、例えば実施例１における算出部３として動作する。ただし、実施例７では、増幅の必要な移動局の数または割合を算出するわけではない。スケジューラ９４および割り当て部３７は、例えば実施例１における割り当て部４として動作する。
【００７１】
実施例７における中継局の構成は、実施例３と同様である。ただし、図１１に示す実施例３の中継局４１において、受信部４２は、基地局から報知された、増幅の対象に割り当てられた周波数帯域の情報を受信して保存する。受信部４２は、周波数帯域の情報とともに、他の無線リソースの情報を受信して保存してもよい。通知部４３は、受信部４２から通知された、増幅の対象に割り当てられた周波数帯域の情報に基づいて、増幅の対象に割り当てられた周波数帯域を増幅部２８へ通知する。増幅部２８は、通知部４３から通知された、増幅の対象に割り当てられた周波数帯域のアナログの入力信号を増幅する。
【００７２】
図２１は、実施例７にかかる無線通信方法を示すフローチャートである。図２１に示すように、基地局と移動局との間の無線通信処理において増幅を行う処理が開始されると、まず、基地局は、移動局のＳＩＲなどの受信品質を測定し、受信品質と予め設定された閾値とを比較して、増幅の必要な移動局を割り出す（ステップＳ７１）。次いで、基地局は、増幅の必要な移動局が使用している周波数帯域などの無線リソースを割り出す（ステップＳ７２）。そして、基地局は、増幅の必要な移動局が使用している無線リソースの情報を報知する。中継局は、基地局から通知された無線リソースの周波数帯域を増幅する（ステップＳ７３）。
【００７３】
実施例７によれば、実施例１と同様の効果が得られる。また、基地局が、増幅の必要な移動局が使用している周波数帯域を増幅の対象に割り当て、中継局が、増幅の必要な移動局が使用している周波数帯域を増幅するので、受信品質の悪い移動局の受信品質を改善させることができる。なお、再生処理タイプの中継局を用いてもよい。
【００７４】
上述した実施の形態に関し、さらに以下の付記を開示する。
【００７５】
（付記１）増幅を行う移動局の数、もしくは増幅を行う移動局の、全移動局に占める割合を算出する算出部と、
該算出部の算出結果に基づいて複数の帯域のうちの１以上の帯域を増幅の対象に割り当てる割り当て部と、
該割り当て部により増幅の対象に割り当てられた帯域を増幅する増幅部と、
を備え、前記算出部が基地局に含まれており、かつ前記割り当て部および前記増幅部が中継局に含まれているか、または、前記算出部および前記割り当て部が基地局に含まれており、かつ前記増幅部が中継局に含まれていることを特徴とする無線通信システム。
【００７６】
（付記２）前記割り当て部は、前記複数の帯域のうちの１以上の帯域をランダムに選択して増幅の対象に割り当てることを特徴とする付記１に記載の無線通信システム。
【００７７】
（付記３）前記基地局は、増幅の対象の移動局に関する第１の情報を前記中継局へ通知し、前記中継局は、自局が増幅を行う対象の移動局に関する第２の情報を有し、前記中継局は、前記第１の情報と前記第２の情報との両方に含まれる移動局の数に対応する数の帯域を増幅することを特徴とする付記１に記載の無線通信システム。
【００７８】
（付記４）前記割り当て部は、各帯域の干渉電力に基づいて１以上の帯域を増幅の対象に割り当てることを特徴とする付記１に記載の無線通信システム。
【００７９】
（付記５）前記割り当て部は、各帯域の干渉電力に基づいて各帯域の増幅率を決定することを特徴とする付記４に記載の無線通信システム。
【００８０】
（付記６）前記割り当て部は、増幅の対象の移動局が使用している周波数帯域を増幅の対象に割り当てることを特徴とする付記１に記載の無線通信システム。
【００８１】
（付記７）増幅を行う移動局の数、もしくは増幅を行う移動局の、全移動局に占める割合を算出する算出部と、
該算出部の算出結果に基づいて複数の帯域のうちの１以上の帯域を増幅の対象に割り当てる割り当て部と、
を備えることを特徴とする基地局。
【００８２】
（付記８）前記割り当て部は、前記複数の帯域のうちの１以上の帯域をランダムに選択して増幅の対象に割り当てることを特徴とする付記７に記載の基地局。
【００８３】
（付記９）前記割り当て部は、各帯域の干渉電力に基づいて１以上の帯域を増幅の対象に割り当てることを特徴とする付記７に記載の基地局。
【００８４】
（付記１０）前記割り当て部は、各帯域の干渉電力に基づいて各帯域の増幅率を決定することを特徴とする付記９に記載の基地局。
【００８５】
（付記１１）前記割り当て部は、増幅の対象の移動局が使用している周波数帯域を増幅の対象に割り当てることを特徴とする付記７に記載の基地局。
【００８６】
（付記１２）増幅を行う移動局の数、もしくは増幅を行う移動局の、全移動局に占める割合に基づいて複数の帯域のうちの１以上の帯域を増幅の対象に割り当てる割り当て部と、
該割り当て部により増幅の対象に割り当てられた帯域を増幅する増幅部と、
を備えることを特徴とする中継局。
【００８７】
（付記１３）前記割り当て部は、前記複数の帯域のうちの１以上の帯域をランダムに選択して増幅の対象に割り当てることを特徴とする付記１２に記載の中継局。
【００８８】
（付記１４）基地局にて、増幅を行う移動局の数、もしくは増幅を行う移動局の、全移動局に占める割合を算出する算出ステップと、
該基地局または中継局にて、該算出ステップでの算出結果に基づいて複数の帯域のうちの１以上の帯域を増幅の対象に割り当てる割り当てステップと、
該中継局にて、該割り当てステップで増幅の対象に割り当てられた帯域を増幅する増幅ステップと、
を含むことを特徴とする無線通信方法。
【００８９】
（付記１５）前記割り当てステップでは、前記複数の帯域のうちの１以上の帯域をランダムに選択して増幅の対象に割り当てることを特徴とする付記１４に記載の無線通信方法。
【００９０】
（付記１６）前記割り当てステップでは、前記中継局が有する、自局が増幅を行う対象の移動局に関する情報と、前記基地局で選択された増幅の対象の移動局に関する情報との両方に含まれる移動局の数に対応する数の帯域を増幅の対象に割り当てることを特徴とする付記１４に記載の無線通信方法。
【００９１】
（付記１７）前記割り当てステップでは、各帯域の干渉電力に基づいて１以上の帯域を増幅の対象に割り当てることを特徴とする付記１４に記載の無線通信方法。
【００９２】
（付記１８）前記割り当てステップでは、各帯域の干渉電力に基づいて各帯域の増幅率を決定することを特徴とする付記１７に記載の無線通信方法。
【００９３】
（付記１９）前記割り当てステップでは、増幅の対象の移動局が使用している周波数帯域を増幅の対象に割り当てることを特徴とする付記１４に記載の無線通信方法。
【符号の説明】
【００９４】
１，１１，３１，５１，７１，８１，９１  基地局
２，２ａ，２ｂ，２１，４１，６１  中継局
３  算出部
４  割り当て部
５  増幅部
６，６ａ，６ｂ，６ｃ  移動局
【図１】
0005408254.tif 000002
【図２】
0005408254.tif 000003
【図３】
0005408254.tif 000004
【図４】
0005408254.tif 000005
【図５】
0005408254.tif 000006
【図６】
0005408254.tif 000007
【図７】
0005408254.tif 000008
【図８】
0005408254.tif 000009
【図９】
0005408254.tif 000010
【図１０】
0005408254.tif 000011
【図１１】
0005408254.tif 000012
【図１２】
0005408254.tif 000013
【図１３】
0005408254.tif 000014
【図１４】
0005408254.tif 000015
【図１５】
0005408254.tif 000016
【図１６】
0005408254.tif 000017
【図１７】
0005408254.tif 000018
【図１８】
0005408254.tif 000019
【図１９】
0005408254.tif 000020
【図２０】
0005408254.tif 000021
【図２１】
0005408254.tif 000022